(57)【要約】      （修正有）【課題】組み立て作業が容易で且つ材料の利用効率が高い組み立て玩具を提供する。【解決手段】展開状態にてそれぞれ長尺平板状である第１〜第３のユニット１、２、３を有し、第１と第２のユニット１、２は、それぞれが組み立て状態にて向かい合う一対の端面が開放した中空正四角柱を形成するよう折り曲げられ、第２のユニット２の組み立て状態における中空正四角柱の一対の端面の間にある４つの側面のうちの向かい合う一対が装飾面２１として構成されており、第３のユニット３は、長尺状の本体部３０と複数の連結部３３とを有すると共に、組み立て状態にて本体部３０が中空角柱を形成するよう折り曲げられ、組み立て状態において、第１のユニット１が形成した中空正四角柱内に第２のユニット２が各装飾面２１を露出するように収められ、第３のユニット３の連結部３３が第１のユニット１の貫通溝１２１に連結される。【選択図】図２
0003205533.tif 000002
【実用新案登録請求の範囲】
【請求項１】
平板状の展開状態から、組み立て状態にされる組み立て玩具であって、
前記展開状態においてそれぞれ長尺平板状である第１のユニット、第２のユニット、および第３のユニットを有し、
前記第１のユニットおよび前記第２のユニットは、それぞれが前記組み立て状態において向かい合う一対の端面が開放した中空正四角柱を個別に形成するよう折り曲げられるように構成されており、
前記第２のユニットの前記組み立て状態における前記中空正四角柱の前記一対の端面の間にある４つの側面のうちの向かい合う一対が装飾面として構成されており、
前記第３のユニットは、長尺状の本体部と、前記本体部の一方の長辺からそれぞれ突出するように形成されている複数の連結部とを有すると共に、前記組み立て状態において前記本体部が中空角柱を形成するよう折り曲げられるように構成されており、
前記組み立て状態において、前記第１のユニットが形成した前記中空正四角柱内に前記第２のユニットが各前記装飾面を露出するように収められる上に、前記第３のユニットの前記連結部が前記第１のユニットに連結されるように構成されていることを特徴とする、組み立て玩具。
【請求項２】
前記組み立て状態において前記第１のユニットが形成した前記中空正四角柱の前記一対の端面の間にある４つの側面のうちの１つは、前記第３のユニットが連結される連結面として構成されており、また、該連結面と隣接する２つの側面のうちの１つが正面として構成されており、
前記第３のユニットの前記本体部は、前記組み立て状態において中空四角柱を形成する上、該中空四角柱の４つの側面における１つが正面となり、該正面に隣接する２つの側面が装飾面となるように構成されており、
前記組み立て状態においては、前記第３のユニットの前記正面が前記第１のユニットの前記正面に対応し、前記第３のユニットの各前記装飾面が前記第２のユニットの各前記装飾面に対応するように、前記第３のユニットが前記第１のユニットの前記連結面に連結され、
前記第１のユニットと前記第２のユニットとが前記組み立て玩具の頭部を成し、前記第３のユニットが前記組み立て玩具の胴部を成すように構成されている、請求項１に記載の組み立て玩具。
【請求項３】
前記第２のユニットの各前記装飾面には、耳を模したパターンと、該耳を模したパターンの輪郭の一部に沿った切り込み線とが形成されており、
前記組み立て状態において、前記切り込み線に沿って切り目が入れられて前記耳を模したパターンが前記第２のユニットの前記装飾面から捲れ上がるように構成されている、請求項２に記載の組み立て玩具。
【請求項４】
前記第３のユニットの各前記装飾面には、手を模したパターンと、該手を模したパターンの輪郭の一部に沿った切り込み線とが形成されており、
前記組み立て状態において、前記切り込み線に沿って切り目が入れられて前記手を模したパターンが前記第３のユニットの前記装飾面から捲れ上がるように構成されている、請求項２または請求項３に記載の組み立て玩具。
【請求項５】
前記第１のユニットの前記連結面には、数量が前記第３のユニットの前記連結部と対応する複数の貫通溝が設けられており、
前記組み立て状態において、前記第３のユニットの各前記連結部が対応の前記第１のユニットの各前記貫通溝に挿し込まれて前記第３のユニットが前記第１のユニットの前記連結面に連結されるように構成されている、請求項２〜請求項４のいずれか一項に記載の組み立て玩具。
【考案の詳細な説明】
【技術分野】
【０００１】
本考案は組み立て玩具に関し、特には平板材から切り出した複数の部材を互いに組み立ててなる組み立て玩具に関する。
【背景技術】
【０００２】
図１には従来の組み立て玩具の組み立て前の展開状態が平面図で示されている。この組み立て玩具は、一枚の矩形の平板材からそれぞれ切り出されて組み立てられてから互いに連結される頭部９１と胴部９２とで構成される。
【０００３】
頭部９１は、長方形の本体部９１１と、本体部９１１の両方の長辺からそれぞれ延伸している２つの側部９１２、９１２と、複数の接続部９１３と、本体部９１１に設けられる複数の第１の折線９１４と、本体部９１１と各側部９１２との間にそれぞれ設けられる第２の折線９１５とを有する。頭部９１を組み立てる際には、まず、本体部９１１が中空の角柱を形成するように各第１の折線９１４を折ると共に、本体部９１１が形成した角柱の両端開放が各側部９１２に覆われるように各第２の折線９１５を折る。次いで、以下のＡ〜Ｃの手順により各側部９１２と本体部９１１とを接着する。
（Ａ）本体部９１１の両方の長辺にそれぞれ側部９１２を間に挟んで２つずつ設けられている計４つの接続部９１３を、対応の側部９１２に貼り付ける。
（Ｂ）各側部９１２から更に延伸するように設けられている計２つの接続部９１３を、本体部９１１の対応の長辺にそれぞれ貼り付ける。
（Ｃ）本体部９１１の一方の短辺から延伸するように設けられている１つの接続部９１３を、本体部９１１の他方の短辺に貼り付ける。
【０００４】
このようにして、頭部９１を組み立ててから、別に組み立てられた胴部９２に頭部９１を連結することにより、組み立て玩具が完成する。
【考案の概要】
【考案が解決しようとする課題】
【０００５】
上述のように、上記従来の組み立て玩具は、頭部９１だけで少なくとも７つの接続部９１３が設けられ、組み立ての際にはこれら接続部９１３を位置がぴったりと合うようにそれぞれ他の部位に貼り付ける必要があるので、組み立て作業が煩雑であり、幼児向きとは言えない。
【０００６】
また、上記従来の組み立て玩具は、展開状態において、頭部９１の各側部９１２が本体部９１１の両方の長辺からそれぞれ延伸するように設けられて頭部９１が「十」の字状に構成されているので、矩形の平板材において「十」の字状の頭部９１のために「田」の字分の材料を取らなくてはならず、平板材の一部（本体部９１１および側部９１２の周辺部分）が無駄になる上に、平板材のサイズが大きくなるので搬送時に余分なコストがかかる。
【０００７】
そこで、本考案は、組み立て作業が容易になるだけでなく、材料の無駄が減り搬送コストも抑えられる組み立て玩具の提供をその目的とする。
【課題を解決するための手段】
【０００８】
上記目的を達成するための手段として、本考案は、以下の手段を提供する。
【０００９】
即ち、平板状の展開状態から、組み立て状態にされる組み立て玩具であって、前記展開状態においてそれぞれ長尺平板状である第１のユニット、第２のユニット、および第３のユニットを有し、
前記第１のユニットおよび前記第２のユニットは、それぞれが前記組み立て状態において向かい合う一対の端面が開放した中空正四角柱を個別に形成するよう折り曲げられるように構成されており、
前記第２のユニットの前記組み立て状態における中空正四角柱の前記一対の端面の間にある４つの側面のうちの向かい合う一対が装飾面として構成されており、
前記第３のユニットは、長尺状の本体部と、前記本体部の一方の長辺からそれぞれ突出するように形成されている複数の連結部とを有すると共に、前記組み立て状態において前記本体部が中空角柱を形成するよう折り曲げられるように構成されており、
前記組み立て状態において、前記第１のユニットが形成した前記中空正四角柱内に前記第２のユニットが各前記装飾面を露出するように収められる上に、前記第３のユニットの前記連結部が前記第１のユニットに連結されるように構成されていることを特徴とする、組み立て玩具を提供する。
【考案の効果】
【００１０】
上記手段によれば、展開状態において第１のユニット、第２のユニット、第３のユニットがそれぞれ長尺平板状なので、一枚の平板材にそれぞれの長辺方向を合わせるように設ければ、材料の利用効率が高くなる。また、第１のユニット、第２のユニット、第３のユニットをそれぞれ折り曲げて四角柱を形成した上で第１のユニットと第２のユニットとを組み合わせてから第３のユニットを第１のユニットに連結するだけで組み立て状態とすることができるので、組み立てが容易である。
【図面の簡単な説明】
【００１１】
【図１】従来の組み立て玩具の一例を展開状態で示す平面図である。
【図２】本考案に係る組み立て玩具の一実施形態を展開状態で示す平面図である。
【図３】上記実施形態における第１のユニットの組み立て状態を示す斜視図である。
【図４】上記実施形態における第２のユニットの組み立て状態を示す斜視図である。
【図５】上記実施形態における第３のユニットの組み立て状態を示す斜視図である。
【図６】上記実施形態において第２のユニットを第１のユニットに収める様子を示す斜視図である。
【図７】上記実施形態において第２のユニットが第１のユニットに収められた状態を示す斜視図である。
【図８】上記実施形態において第３のユニットを第１のユニットに連結する様子を示す斜視図である。
【図９】本考案に係る組み立て玩具の一実施形態を組み立て状態で示す正面図である。
【考案を実施するための形態】
【００１２】
本考案に係る組み立て玩具は、図２に示された平板状の展開状態から、図９に示された組み立て状態にすることができるように構成されたものである。以下、添付図面を参照しつつ、本考案に係る組み立て玩具の具体的な実施形態を説明する。
【００１３】
組み立て玩具は、展開状態においてそれぞれ長尺平板状である第１のユニット１、第２のユニット２、第３のユニット３（以下、第１〜第３のユニット１、２、３）とを有する。第１〜第３のユニット１、２、３は展開状態においては一枚の長方形の平板材１０に設けられていて、組み立ての際には平板材１０からそれぞれ切り離すことにより個別のユニットとなる。本実施形態では組み立て状態において第１のユニット１と第２のユニット２とにより頭部が構成され、第３のユニット３によりその頭部に連結される胴部が構成された人型を模した玩具となる。
【００１４】
図２に示されているように、展開状態において、第１〜第３のユニット１、２、３は、それぞれの両方の長辺が平板材１０の長辺と平行し、それぞれの両方の短辺が平板材１０の短辺と平行している。第１のユニット１と第２のユニット２との長さはほぼ同じであり、展開状態にて互いの長辺を接するように設けられている。第３のユニット３は、展開状態にて、第１のユニット１および第２のユニット２と間隔を置いて配置されていて、長さが第１のユニット１および第２のユニット２よりも短い。平板材１０において第１〜第３のユニット１、２、３を上述のように配置することにより、平板材１０の利用効率を最大限に向上することができる。
【００１５】
第１のユニット１および第２のユニット２は、組み立て状態においてそれぞれ向かい合う一対の端面が開放した中空正四角柱を個別に形成するよう折り曲げられるように構成されている。
【００１６】
第１のユニット１は、顔を模したパターンが形成されている正面１１と、正面１１と隣接する連結面１２と、固定部１３と、接続部１４とを有する。この内、連結面１２は正面１１と接続部１４との間に位置する。また、連結面１２には２つの貫通溝１２１が設けられている。なお、正面１１、連結面１２、固定部１３は、第１のユニット１の組み立て状態において形成される中空正四角柱の上記一対の端面の間にある４つの側面のうちの３面を構成する。
【００１７】
第２のユニット２は、互いに間隔を空けて設けられた２つの装飾面２１、２１と、固定部２３と、接続部２４とを有する。この内、固定部２３は、いずれか一方の装飾面２１の他方の装飾面２１から離れた側の端辺に隣接している。また、接続部２４は、該他方の装飾面２１の該一方の装飾面２１から離れた側の端辺に隣接している。なお、２つの装飾面２１、２１は、第２のユニット２の組み立て状態において形成される中空正四角柱の上記一対の端面の間にある４つの側面のうちの向かい合う一対の面となる。
【００１８】
第２のユニット２の各装飾面２１には、耳を模したパターン２１１と、耳を模したパターン２１１の輪郭の一部に沿った切り込み線２１２とが形成されており、切り込み線２１２に沿って切り目が入れられると、耳を模したパターン２１１が装飾面２１から捲れ上がるように構成されている。
【００１９】
第３のユニット３は、長尺状の本体部３０と、本体部３０の一方の長辺からそれぞれ突出するように形成されている２つの連結部３３とを有すると共に、本体部３０が組み立て状態においてそれぞれ向かい合う一対の端面が開放した中空四角柱を形成するよう折り曲げられるように構成されている。
【００２０】
本体部３０は、正面３１と、本体部３０の長辺方向における正面３１の両端辺にそれぞれ隣接する２つの装飾面３２として構成される側面と、いずれかの装飾面３２の正面３１から離れた端辺から延伸するように形成された接続部３４と、組み立て状態において接続部３４が挿入される接続溝３５とを有する。なお、正面３１、２つの装飾面３２は、第３のユニット３の組み立て状態において形成される中空正四角柱の上記一対の端面の間にある４つの側面のうちの３面を構成する。
【００２１】
正面３１には腹部を模したパターンが形成されている。また、各装飾面３２には、手を模したパターン３２１と、手を模したパターン３２１の輪郭の一部に沿った切り込み線３２２とが形成されており、切り込み線３２２に沿って切り目が入れられると、手を模したパターン３２１がそれぞれ装飾面３２から捲れ上がるように構成されている。
【００２２】
図２〜図５にそれぞれ示されているように、組み立てを行なう際には、まず、第１〜第３のユニット１、２、３とを平板材１０からそれぞれ切り離す。次に、第１〜第３のユニット１、２、３を上述のようにそれぞれ向かい合う一対の端面が開放した中空正四角柱を形成するよう折り曲げる（図３、図４、図５）。
【００２３】
具体的には、第１〜第３のユニット１、２、３を、それぞれの短辺方向に平行する３本の折り代に沿って折り曲げた上で、第１のユニット１においては接続部１４を固定部１３に貼り付けて固定し、第２のユニット２においては接続部２４を固定部２３に貼り付けて固定し、第３のユニット３においては接続部３４を接続溝３５に挿し込んで固定することで、それぞれ中空正四角柱を形成する。なお、各接続部１４、２４の各固定部１３、２３への固定は、貼り付けに限らず、例えば互いに対応する突起と溝を設けて突起を溝に挿し込むことで固定されるように構成することも可能である。
【００２４】
次に、図６および図７に示されているように、第１のユニット１が形成した中空正四角柱の中空部分１５（図３参照）に、第２のユニット２を各装飾面２１、２１が露出するように収める。つまり、第１のユニット１の中空部分１５が第２のユニット２によって塞がれると共に、第２のユニット２の中空部分２５（図４参照）も第１のユニット１によって塞がれるように第１のユニット１と第２のユニット２とを組み合わせる。組み合わせされた第１のユニット１と第２のユニット２とにより玩具の頭部４となる立方体が形成される。この立方体は図７に示されているように一面が第１のユニット１の正面１１、正面１１に隣接する向かい合う二面が第２のユニット２の各装飾面２１、２１、正面１１に隣接し且つ各装飾面２１、２１に挟まれた一面が第１のユニット１の連結面１２である。
【００２５】
頭部４を形成した後で、図８および図９に示されているように、第３のユニット３の正面３１が第１のユニット１の正面１１に対応し、第３のユニット３の各装飾面３２、３２が第２のユニット２の各装飾面２１、２１に対応するように、胴部となる第３のユニット３を頭部４に連結する。具体的には、第３のユニット３の各連結部３３を第１のユニット１の連結面１２に設けられている各貫通溝１２１に挿し込むことにより、第３のユニット３をその展開状態における長辺側で頭部４に連結する。以上で、本実施形態における組み立て玩具の組み立てが完了し、図９に示された組み立て状態となる。
【００２６】
上述のように、本考案に係る組み立て玩具によれば、第１のユニット１と第２のユニット２とをそれぞれ組み立ててから互いに組み合わせることで頭部４を構成でき、この際に貼り付けが必要なのは２箇所のみである（第１のユニット１の接続部１４と固定部１３及び第２のユニット２の接続部２４と固定部２３）。よって、組み立て作業が従来よりも遥かに容易であり、例えば幼児でも組み立てられる組み立て玩具を提供することが可能となる。また、図２に示されるように頭部４を構成する部材（第１のユニット１と第２のユニット２）が展開状態においてほぼ矩形なので、頭部を構成する部材が「十」の字状である従来のものに比べて平板材１０の利用効率が高い。
【００２７】
以上、本考案の好ましい実施形態を説明したが、本考案はこれに限定されるものではなく、その要旨を逸脱しない範囲で種々変更可能である。
【００２８】
例えば、本実施形態においては、上述のように第１のユニット１の貫通溝１２１と第３のユニット３の連結部３３とをそれぞれ２つずつ設けたが、これに限らず互いに対応する数量で複数設ければよい。
【００２９】
また、第３のユニット３の本体部３０は、組み立て状態において上記実施形態のように四角柱に限らず、本考案に係る組み立て玩具の胴部を模した形状となるように多角柱を形成するよう構成されればよい。
【産業上の利用可能性】
【００３０】
本考案に係る組み立て玩具は、組み立てが容易なので、幼児用の組み立て玩具として好適である。
【符号の説明】
【００３１】
１０  平板材
１  第１のユニット
１１  正面
１２  連結面
１２１  貫通溝
１３  固定部
１４  接続部
１５  中空部分
２  第２のユニット
２１  装飾面
２１１  耳を模したパターン
２１２  切り込み線
２３  固定部
２４  接続部
２５  中空部分
３  第３のユニット
３０  本体部
３１  正面
３２  装飾面
３２１  手を模したパターン
３２２  切り込み線
３３  連結部
３４  接続部
３５  接続溝
【図１】
0003205533.tif 000003
【図２】
0003205533.tif 000004
【図３】
0003205533.tif 000005
【図４】
0003205533.tif 000006
【図５】
0003205533.tif 000007
【図６】
0003205533.tif 000008
【図７】
0003205533.tif 000009
【図８】
0003205533.tif 000010
【図９】
0003205533.tif 000011